(57)【特許請求の範囲】
【請求項１】
パチンコ球を貯留する球受け皿の底面に球抜き口を形成するとともに、該球受け皿の下面にシャッタ取付板を取付け、該シャッタ取付板にシャッタ板を該球抜き口を閉鎖する閉鎖位置に付勢するとともに、該球抜き口を開放する開放位置にスライドして保持するロック機構を設けたパチンコ機の下部球受け皿において、
前記ロック機構は、横置きされた筒状の筒状ストッパと、口縁に傾斜ガイド歯を形成した筒状のガイド筒体とが同心位置に対向して取付固定され、また該筒状ストッパと該ガイド筒体の間に該筒状ストッパ側に付勢される筒状の回転筒体とが同心位置に配設され、
前記回転筒体には、ロック孔を形成した節板が内面に設けらるとともに、前記ガイド筒体の前記傾斜ガイド歯に当接案内されて回転する回転爪面が形成され、
一方、前記シャッタ板には、前記筒状ストッパ内を通過し、前記回転筒体の該節板に当接して前記回転筒体を前記ガイド筒側へ押圧移動する当接フランジと、前記該当接フランジよりも先端に該回転筒体が所定の角度に配設された際に該ロック孔を通過可能となり、他の角度に配設された際に該ガイド筒体側で該節板に当接するロック部とを設けたロックピンを前記ロック機構に向けて配設されて、
前記シャッタ板がスライド操作されると、該ロックピンの先端に形成した前記ロック部が前記筒状ストッパ内及び前記ロック孔内を通過するとともに前記当接フランジが前記節板を押圧して該回転筒体を前記ガイド筒体側に押し出して、前記回転爪面を該ガイド筒体の傾斜ガイド歯に押し付けられて回転し、その後スライドする操作力が緩められると、該回転筒体は付勢力によって戻り移動して該筒状ストッパに当接するとともに、該シャッタ板の該ロック部が該節板の該ガイド筒体側に当接して該シャッタ板が前記開放位置に保持され、
再度前記シャッタ板がスライド操作されると、前記当接フランジが前記節板に当接して、前記回転筒体を前記ガイド筒体側に押し出し、該回転爪面が該傾斜ガイド歯に押し付けられて該回転筒体を回転し、その後スライドする操作力が緩められると、該シャッタ板の前記ロックピンが該ロック孔を通過して戻り移動して前記閉鎖位置に戻る構成とされていることを特徴とするパチンコ機の下部球受け皿。
【請求項２】
前記節板に形成された前記ロック孔が扁平形状とされ、前記ロックピンに設けた前記ロック部が該ロック孔を通過可能な扁平形状とされていることを特徴とする請求項１記載のパチンコ機の下部球受け皿。
【請求項３】
前記筒状ストッパの口縁に受けガイド面を設け、また、該筒状ストッパ側の前記回転筒体の口縁に該受けガイド面に当接案内されて回転する保持爪面を形成して、
前記シャッタ板のスライドする操作力が緩められれて、該回転筒体が前記筒状ストッパイド筒体側に当接すると、前記保持爪面が前記受けガイド面に当接案内されて該回転筒体が回転されることを特徴とする請求項１記載のパチンコ機の下部球受け皿。
【発明の詳細な説明】
【０００１】
【発明の属する技術分野】
この発明は、パチンコ機の球受け皿、特にパチンコ機の前面に設けられた上下２つの球受け皿の内、下側の下部球受け皿に関する。
【０００２】
【従来の技術】
周知なように、パチンコ機の前面には、パチンコ球を貯留する上部球受け皿と、この上部球受け皿から排出されるパチンコ球を貯留する下部球受け皿が設けられている。この下部球受け皿に貯留されたパチンコ球を排出するために、下部球受け皿の底面に形成した球抜き口を覆うシャッタ板を、下部球受け皿の下面に開閉可能に配置し、遊技者の開閉操作によってこれを開閉する構成としている。
【０００３】
このシャッタ板を開閉する方式としては、水平に回転する方式、上下に回転する方式、昇降する方式などが知られているが、水平にスライドする方式が最も一般的に採用されている。このシャッタ板を水平にスライドするものとして、下部球受け皿の下面に固定したシャッタ取付板にシャッタ板を閉鎖位置に付勢するとともに開放位置にスライド可能に取付け、開放位置とされた際には、このシャッタ取付板とシャッタ板とを係合させて、開放位置を保持するものが従来から知られている。
【０００４】
従来技術１（実開昭６０ー１７７８１号公報）には、シャッタ取付板にスライド方向と直交する方向に２カ所の係止凹部を形成し、シャッタ板にはこの係止凹部に係止する係合突起を設けている。そして、遊技者はシャッタ板をスライドするとともにこのスライド方向と直交する方向へ操作して、この係合突起を係止凹部に係止させて、開放位置と閉鎖位置に保持するようにしている。
【０００５】
従来技術２（特開昭６１ー１１９２８６号公報）には、シャッタ取付板に付勢された係合突起を設け、シャッタ板をスライドして開放した際に、この係合突起が係合する係止凹部を形成している。そして、解除ボタンを押圧して、この係合突起が係止凹部との係合を解除するとしている。
【０００６】
従来技術３（実開平３ー３９０８６号公報）には、シャッタ取付板に係止凹部を形成し、シャッタ板にはこの係止凹部に回転して係止する係合片を設けている。そして、シャッタ板をスライドして開放すると、この係合片が回転して係止凹部に係止するようにされている。そして解除するには係合片を逆回転操作して、この係止凹部から解除するとしている。
【０００７】
従来技術４（実開平６ー４８７６５号公報）には、シャッタ取付板に係止凹部を形成し、シャッタ板にはこの係止凹部に弾性係止する係合片を設けている。そして、シャッタ板をスライドして開放すると、この係合片が係止凹部に弾性係合して開放位置を保持するようにされている。この係合を解除するには、シャッタ板を係合片の弾性力に抗して逆方向にスライド操作して、この係止凹部から解除するとしている。
【０００８】
従来技術５（特開平６ー１７８８６０号公報）には、シャッタ取付板に係止凹部を形成し、シャッタ板には蝶番により回転可能に操作部を設け、この操作部に回転して係止凹部に係止する係合片を設けている。開放するにはシャッタ板をスライドすると、この係合片が回転して係止凹部に係止するようにされている。そして解除するには操作部（係合片）を回転操作して、この係止凹部から解除するとしている。
【０００９】
【発明が解決しようとする課題】
従来技術１〜５などの従来の技術にあっては、いずれも閉鎖位置からシャッタ板をスライド操作すると、凹部と突起が係合して、球抜きの開放位置に保持されるものであった。そして、閉鎖位置に戻す際には、係合している突起と凹部を解除するために、従来技術１では、係止凹部から係合突起を解除する操作が必要とされ、従来技術２では、解除ボタンを押圧して解除する操作が必要とされ、従来技術３では、係合片の逆回転操作が必要とされ、従来技術４では、逆方向にスライド操作が必要とされ、従来技術５では、操作部の回転操作が必要とされるなど、開放操作と相違する操作が必要とされていた。
【００１０】
このため、遊技者は、球抜き操作に際して、操作部をスライドさせて開放位置に保持することが容易にできても、閉鎖位置に戻すために、操作部を押したり引いたり回転させるなど、開放操作と異なる操作を要求されて戸惑うことがあった。
そこで、この発明では、シャッタ板を開放位置にするスライド操作と同じスライド操作を行なうことによって、閉鎖位置に戻すことができて、遊技者が開閉操作を容易にできるパチンコ機の下部球受け皿とすることを目的としている。
【００１１】
【課題を解決するための手段】
この課題を達成するために、請求項１の発明では、ロック機構は、横置きされた筒状の筒状ストッパと、口縁に傾斜ガイド歯を形成した筒状のガイド筒体とが同心位置に対向して取付固定され、また筒状ストッパとガイド筒体の間に筒状ストッパ側に付勢される筒状の回転筒体とが同心位置に配設され、回転筒体には、ロック孔を形成した節板が内面に設けらるとともに、ガイド筒体の傾斜ガイド歯に当接案内されて回転する回転爪面が形成され、一方、シャッタ板には、筒状ストッパ内を通過し、回転筒体の節板に当接して回転筒体をガイド筒側へ押圧移動する当接フランジと、当接フランジよりも先端に回転筒体が所定の角度に配設された際にロック孔を通過可能となり、他の角度に配設された際にガイド筒体側で節板に当接するロック部とを設けたロックピンをロック機構に向けて配設されて、シャッタ板がスライド操作されると、ロックピンの先端に形成したロック部が筒状ストッパ内及びロック孔内を通過するとともに当接フランジが前記節板を押圧して回転筒体を前記ガイド筒体側に押し出して、回転爪面をガイド筒体の傾斜ガイド歯に押し付けられて回転し、その後スライドする操作力が緩められると、回転筒体は付勢力によって戻り移動して筒状ストッパに当接するとともに、シャッタ板のロック部が節板のガイド筒体側に当接してシャッタ板が前記開放位置に保持され、再度シャッタ板がスライド操作されると、当接フランジが節板に当接して、回転筒体をガイド筒体側に押し出し、回転爪面が傾斜ガイド歯に押し付けられて回転筒体を回転し、その後スライドする操作力が緩められると、シャッタ板のロックピンがロック孔を通過して戻り移動して前記閉鎖位置に戻る構成とされている。
【００１２】
この構成により、パチンコ遊技をしている際には、シャッタ板は付勢力によって球受け皿の球抜き口を閉鎖する閉鎖位置とされ、パチンコ球が球受け皿に貯留される。
貯留したパチンコ球を球受け皿から排出するには、遊技者は、シャッタ板をスライド操作してシャッタ板を開放位置に移動する。これにより、シャッタ板からロック機構側へ突出して設けられたロックピンがロック機構に係合する。
【００１３】
ロック機構は、筒状ストッパとガイド筒体が同心に設けられていて、この両筒体の間に筒状の回転筒体が筒状ストッパ側に付勢して配設されている。シャッタ板がスライドすると、ロックピンの先端に形成したロック部が筒状ストッパ内を通過し、さらに回転筒体内の節板に形成された異形のロック孔内を通過する。そしてロックピンの当接フランジが節板を押圧して、筒状ストッパ側に付勢されている回転筒体をその付勢力に抗してガイド筒体側に押し出していく。さらに、回転筒体の口縁に設けた回転爪面がガイド筒体の傾斜ガイド歯に押し付けられる。この際、回転爪面は傾斜ガイド歯に押し付けられ、傾斜ガイド歯に案内されて回転し、回転筒体を回転する。すなわち、節板に形成した異形のロック孔が回転した姿勢にされる。
【００１４】
遊技者が操作力を緩めると、回転筒体はその付勢力によって戻り移動して筒状ストッパに当接する。これと同時にシャッタ板も付勢力によって戻り移動し始めるが、ロック孔が回転した姿勢とされているために、ロック部はロック孔を通過することができずに節板に当接する。そして、シャッタ板は、ロック部が節板に当接した位置、すなわちシャッタ板が球受け皿の球抜き口を開放している開放位置に保持されることになる。これにより、球受け皿に貯留しているパチンコ球が球抜き口から排出され続ける。
【００１５】
次に、シャッタ板を閉鎖位置に戻すには、遊技者は、再度シャッタ板を開放位置へスライド操作したと同じ動作のスライド操作する。これにより、再びロックピンに形成した当接フランジが節板に当接して、回転筒体をガイド筒体側に押し出す。そして、回転筒体の口縁に設けた回転爪面がガイド筒体の傾斜ガイド歯に押し付けられて回転筒体をさらに回転する。
遊技者が操作力を緩めると、回転筒体は、さらに回転した姿勢、すなわち、節板に形成した異形のロック孔が最初の状態に戻った姿勢で、筒状ストッパに当接するまで戻り移動する。これと同時にシャッタ板も付勢力によって戻り移動し、この際にはロック部がロック孔を通過することができる。従って、シャッタ板は、その付勢力によって閉鎖位置に戻り、球受け皿にパチンコ球を貯留可能な状態になる。
なお、請求項２の発明では、異形のロック孔が扁平形状とされ、ロックピンに設けたロック部がこのロック孔を通過可能な扁平形状とされているため、回転筒体が１８０度回転すると、ロック孔が最初の姿勢に戻る。
また、請求項３の発明では、筒状ストッパの口縁に受けガイド面を設け、また、筒状ストッパ側の回転筒体の口縁に筒状ストッパの受けガイド面に当接案内されて回転させる保持爪面が形成されているため、回転筒体は、ガイド筒体及び筒状ストッパのいずれに押圧されても回転して、所定の回転量が得られる。
【００１６】
【発明の効果】
以上説明したように、請求項１の発明では、ロック機構は、横置きされた筒状の筒状ストッパと、口縁に傾斜ガイド歯を形成した筒状のガイド筒体とが同心位置に対向して取付固定され、また筒状ストッパとガイド筒体の間に筒状ストッパ側に付勢される筒状の回転筒体とが同心位置に配設され、回転筒体には、ロック孔を形成した節板が内面に設けらるとともに、ガイド筒体の傾斜ガイド歯に当接案内されて回転する回転爪面が形成され、一方、シャッタ板には、筒状ストッパ内を通過し、回転筒体の節板に当接して回転筒体をガイド筒側へ押圧移動する当接フランジと、当接フランジよりも先端に回転筒体が所定の角度に配設された際にロック孔を通過可能となり、他の角度に配設された際にガイド筒体側で節板に当接するロック部とを設けたロックピンをロック機構に向けて配設されて、シャッタ板がスライド操作されると、ロックピンの先端に形成したロック部が筒状ストッパ内及びロック孔内を通過するとともに当接フランジが前記節板を押圧して回転筒体を前記ガイド筒体側に押し出して、回転爪面をガイド筒体の傾斜ガイド歯に押し付けられて回転し、その後スライドする操作力が緩められると、回転筒体は付勢力によって戻り移動して筒状ストッパに当接するとともに、シャッタ板のロック部が節板のガイド筒体側に当接してシャッタ板が前記開放位置に保持され、再度シャッタ板がスライド操作されると、当接フランジが節板に当接して、回転筒体をガイド筒体側に押し出し、回転爪面が傾斜ガイド歯に押し付けられて回転筒体を回転し、その後スライドする操作力が緩められると、シャッタ板のロックピンがロック孔を通過して戻り移動して前記閉鎖位置に戻る構成とされていることにより、遊技者は下部球受け皿から球抜きの操作と同じスライド操作を行なえば球止めできて、容易に操作することができる効果を奏する。
【００１７】
【発明の実施の形態】
以下本発明の実施例を詳細に説明する。
図１、図２は下部球受け皿の概略を示し、図示しないパチンコ機の前面枠下部に取付けられている。この下部球受け皿は、図２に示すように、該前面枠にビス止めされた球受け皿１と、この球受け皿１の底面裏側に固定されたシャッタ取付板２と、球受け皿１とシャッタ取付板２との間にスライド可能に取付けられたシャッタ板４とからなり、シャッタ取付板２には、シャッタ板４をロックするロック機構３が設けられている。なお、この球受け皿１の周縁を囲んで、装飾された装飾カバー５が取付けられている（図２では省略）。
【００１８】
球受け皿１は、パチンコ機の前面に当接して取付けられる後側が開放された略方形に形成されていて、その底面に貯留されたパチンコ球が下方に排出可能に略方形の球抜き口１０が設けられている。また、球受け皿１の後面左右端には、取付片１１が形成されていて、図示しないビスによりパチンコ機の前面に取付固定されるいる。また、球受け皿１の前面には支え片１２が突出して設けられて、装飾カバー５の開口端を支持して位置決めしている（図１参照）。
【００１９】
シャッタ取付板２は、略方形に形成されていて、ビス孔２０、２０に球受け皿１の底面の下面側にビスによって取付固定されている。シャッタ取付板２の前側端には、ガイド枠２１が立設され、この両端に設けた止め突起２１ａ、２１ａ間をシャッタ板４がスライド可能に設けられている。
このシャッタ取付板２の底面中央には、球抜き口１０に対応した略方形の球落下口２２が設けられていて、球抜き口１０から排出されるパチンコ球が球落下口２２を通過して下方に排出可能とされている。また、シャッタ取付板２の上面には、球落下口２２の左側縁から連続する三条の溝、すなわち、ガイド溝２３、ピン溝２４及びばね掛け溝２５が横方向に平行して形成されている。そして、中央のピン溝２４の他端側（図２において左側）には、ロック機構３が設けられている。また、ばね掛け溝２５の右端にばね掛突起２６が設けられている（図３参照）。
【００２０】
シャッタ板４は、パチンコ球の落下を防ぐ略方形とされたシャッタ部４０と、このシャッタ部４０の前端に操作レバー４１が立設されている。この操作レバー４１の裏面には、摺動溝４２が形成されていて、ガイド枠２１の上縁に嵌合して取付けられて、止め突起２１ａ、２１ａ間をスライド可能に取付けられている。
また、シャッタ部４０の後端には、シャッタ取付板２に形成されたガイド溝２３内を移動するガイド片４３が設けられている。これによりシャッタ板４は、ガイド枠２１とガイド溝２３によってガイドされ、両止め突起止め突起２１ａ、２１ａのいずれかに当接するまで左右にスライド可能とされている。
【００２１】
また、シャッタ部４０の前端には、ばね掛け溝２５内を移動可能にばね掛け片４４が設けられていて、前述したばね掛け突起２６との間に引張り付勢する引張りばね６が掛けられ、シャッタ板４を右端部へ付勢して、シャッタ部４０が球抜き口１０を閉鎖している閉鎖位置に保持している。
また、シャッタ部４０からロックピン４５が左側に突出して、ロック機構３に向けて設けられている。このロックピン４５は、図５に示すように、その先端に当接フランジ４５ａが形成されているとともに、更にその先端には断面を扁平形状としたロック部４５ｂが設けられている。そして、ロックピン４５はシャッタ板４が左側に移動するにともなって、ピン溝２４内を移動してロック機構３に係合するようにされている。
【００２２】
次に、ロック機構３について説明すると、図４、図５に示すように、シャッタ取付板２のピン溝２４の先方向には、ガイド筒体３０と筒状ストッパ３１が対向して取付固定されている。このガイド筒体３０と筒状ストッパ３１との間に回転筒体３２が圧縮ばね３３により付勢されて取付けられている。
【００２３】
ガイド筒体３０は、横置きの有底円筒体からなり、その下面に設けた取付片３０ａが取付ビス７によってシャッタ取付板２に取付けられている。このガイド筒体３０の口縁には、４つの傾斜ガイド歯３０ｂが等間隔の９０°ピッチで形成されている（図８（ｂ）参照）。また、傾斜ガイド歯３０ｂの外周下半部を囲む半筒部３０ｃが筒状ストッパ３１まで延びている。
【００２４】
筒状ストッパ３１は、横置き円筒体からなり、その下面に設けた取付片３１ａが取付ビス８によってシャッタ取付板２にガイド筒体３０に同心位置に取付けられている。また、この口縁には、４つの保持爪面３１ｂが等間隔の９０°ピッチで形成されている（図８（ｂ）参照）。
【００２５】
また、回転筒体３２は、横置き円筒体からなり、その内面中央に節板３２ａが設けられている（図６参照）。この節板３２ａの中央部には、ロックピン４５のロック部４５ｂが挿通可能な扁平形状のロック孔３２ｂが開口している（図７参照）。また、ガイド筒体３０側に対向する口縁には、傾斜ガイド歯３０ｂに密着当接する４つの回転爪面３２ｃが設けられている。また、筒状ストッパ３１側に対向する口縁には、筒状ストッパ３１の保持爪面３１ｂに密着当接する４つの固定爪面３２ｄが設けられている。そして、ガイド筒体３０ａと回転筒体３２の節板３２ａとの間に設けられた圧縮ばね３３が、図８（ａ）に示すように、回転筒体３２を筒状ストッパ３１側に付勢して押圧している。すなわち、固定爪面３２ｄが保持爪面３１ｂに密着押圧されて、ロック孔３２ｂが、横向きの姿勢に保持されている。
【００２６】
ロック部３を上述した構成としているために、回転筒体３２が圧縮ばね３３の付勢力によって図８（ａ）、（ｂ）に示すように、筒状ストッパ３１側に押圧されている。遊技者がシャッタ部４０を開放位置にするには、シャッタ板４の操作レバー４１をスライド操作して開放位置に移動する。このスライド操作により、シャッタ部４０から突出して設けられているロックピン４５がロック機構３に進入していく。ロックピン４５がロック機構３内に押し込められると、まず断面が扁平形状のロック部４５ｂがロック孔３２ｂ内に進入し、さらに当接フランジ４５ａが節板３２ａに当接する。そして更に押し込められると、当接フランジ４５ａが節板３２ａを押圧して、回転筒体３２を圧縮ばね３３の付勢力に抗してガイド筒体３０側へ移動させる（図９（ａ）、（ｂ）参照）。これにより、回転筒体３２の回転爪面３２ｃがガイド筒体３０の傾斜ガイド歯３０ｂに当接し、この傾斜ガイド歯３０ｂに回転爪面３２ｃがガイドされて、回転筒体３２が約６０°回転する。遊技者が操作力を緩めると、圧縮ばね３３の付勢力によって、再び回転筒体３２が、筒状ストッパ３１側に戻り移動して押圧される。この際、図１０（ｂ）に示すように、この実施例では、固定爪面３２ｄは受けガイド面３１ｂと６０°回転しているために、回転筒体３２の固定爪面３２ｄが受けガイド面３１ｂに当接ガイドされて、さらに約３０°回転する。すなわち、回転筒体３２は、遊技者のスライド操作によって、合計９０°回転することになる。そして、回転筒体３２は、固定爪面３２ｄが受けガイド面３１ｂに密着して、その角度に保持される。
【００２７】
この回転筒体３２が９０°回転したことによって、節板３２ａに形成されているロック孔３２ｂも、縦向きの姿勢に変化している。このため、引張りばね６の付勢力によってロックピン４５も戻り移動するが、横向きのロック部４５ｂは、縦向きの姿勢のロック孔３２ｂを通過することができずに、図１０（ａ）に示すように、節板３２ａに係合した位置（開放位置）に保持される。すなわち、ロックピン４５が筒状ストッパ３１に保持されるために、シャッタ板４は、球抜き口１０を開放状態とする左側にスライドした開放位置に保持されることになる。
【００２８】
一方、球受け皿１の球抜き口１０を開放位置から閉鎖位置に戻すには、遊技者は、操作レバー４１を開放位置にする操作と同じスライド操作を行なう。この操作により、再び当接フランジ４５ａが節板３２ａを押圧し、回転筒体３２は再び固定冠３０ｂの傾斜ガイド歯３０ｂにガイドされて、約６０°回転する。そして圧縮ばね３３の付勢力によって、回転筒体３２が、筒状ストッパ３１側に戻り移動して、固定爪面３２ｄが受けガイド面３１ｂに当接ガイドされてさらに約３０°回転する。すなわち、回転筒体３２は、再び合計９０°回転して、ロック孔３２ｂが横向きの姿勢に戻り、ロック部４５ｂとの長径方向が揃えられる。このため、引張りばね６の付勢力によって、ロック部４５ｂはロック孔３２ｂから抜け出て、シャッタ板４０を最初の閉鎖位置に戻すことになる。
【００２９】
このように構成された本実施の形態では、遊技者が下受け皿１に貯留したパチンコ球の球抜きを行なうに際して、操作レバー４１を左側にスライド操作すれば、回転筒体３２が合計９０°回転し、ロックピン４５が節板３２ａにロックされる。このため、シャッタ板４は、球受け皿１の球抜き口１０を開放状態に保持して、球抜き状態を継続する。一方、再び球止め状態にするには、遊技者が球抜き操作と同じように操作レバー４１を左側にスライド操作すれば、回転筒体３２がさらに９０°回転して、ロック部４５ｂがロック孔３２ｂを通過可能となって、シャッタ板４は閉鎖位置に戻って、球受け皿１の球抜き口１０を閉鎖状態に保持することになる。
このように、遊技者は、操作レバー４１を左側にスライドするという同じ操作を行なうことによって、順次球抜きと球止めを行なうことができる。
【００３０】
なお、本実施の形態では、回転筒体３２に４つの回転爪面３２ｃを設け、回転筒体３２が９０°づつ回転する例を示しているが、必ずしも９０°づつ回転させる必要はなく、例えば、回転爪面３５ｃの数を８つとするなど適宜選択することができる。この際には、回転筒体３５は４５°づつ回転するからこの回転量に対応して、ロック孔３５ｂの形状も図１１に示すように、プラス形とするなど適宜変更して実施する。
【００３１】
また、本実施の形態では、一回のスライド操作により、回転筒体３２が傾斜ガイド歯３０ｂ及び受けガイド面３１ｂの両者によって合計９０°回転する例を示しているが、傾斜ガイド歯３０ｂによって必要な全回転量を確保し、受けガイド面３１ｂによっては回転しない構成とすることもできる。
【図面の簡単な説明】
【図１】概略斜視図
【図２】分離斜視図
【図３】シャッタ取付板とシャッタ板の底面図
【図４】シャッタ取付板とシャッタ板の斜視図
【図５】ロック部の分離斜視図
【図６】回転筒体の断面図
【図７】回転筒体の側面図
【図８】シャッタ板が閉鎖位置にある状態のロック部を示し、（ａ）は断面図、（ｂ）は回転筒体の係合状態を示す説明展開図
【図９】ロックピンがガイド筒体を押圧している状態のロック部を示し、（ａ）は断面図、（ｂ）は回転筒体の係合状態を示す説明展開図
【図１０】シャッタ板が開放位置にある状態のロック部を示し、（ａ）は断面図、（ｂ）は回転筒体の係合状態を示す説明展開図
【図１１】他例の回転筒体の側面図
【符号の説明】
１…球受け皿  ２…シャッタ取付板  ３…ロック機構  ４…シャッタ板  １０…球抜き口  ３０…ガイド筒体  ３０ａ…取付片  ３０ｂ…傾斜ガイド歯  ３１…筒状ストッパ  ３１ａ…取付片  ３１ｂ…受けガイド面  ３２…回転筒体  ３２ａ…節板  ３２ｂ…ロック孔  ３２ｃ…回転爪面  ３２ｄ…固定爪面  ３３…圧縮ばね  ４０…シャッタ部  ４１…操作レバー  ４５…ロックピン  ４５ａ…当接フランジ  ４５ｂ…ロック部
【図１】
0004216357.tif 000002
【図２】
0004216357.tif 000003
【図３】
0004216357.tif 000004
【図４】
0004216357.tif 000005
【図５】
0004216357.tif 000006
【図６】
0004216357.tif 000007
【図７】
0004216357.tif 000008
【図８】
0004216357.tif 000009
【図９】
0004216357.tif 000010
【図１０】
0004216357.tif 000011
【図１１】
0004216357.tif 000012